(57)【要約】      （修正有）【課題】ワイヤを用いた可動部への給電を行うものでありながら、製造コストの削減等が容易となるレンズアクチュエータを提供する。【解決手段】対物レンズ４１，４２を有する可動部４０と、前記可動部を可動的に支持する固定部３０と、外部の給電点ＳＰから供給される電力を、前記可動部に伝送するワイヤＷ１，Ｗ２，Ｗ３と、を備え、前記固定部は、前記ワイヤを前記可動部と前記給電点ＳＰとを結ぶように曲げられた状態に保持する保持部を、備える。【選択図】図２
2014044777.tif 000002
【特許請求の範囲】
【請求項１】
対物レンズを有する可動部と、
前記可動部を可動的に支持する固定部と、
外部の給電点から供給される電力を、前記可動部に伝送するワイヤと、
を備え、
前記ワイヤは、
前記可動部と前記給電点とを結ぶように曲げられており、
前記固定部は、
前記ワイヤを前記曲げられた状態に保持する保持部を備えていることを特徴とするレンズアクチュエータ。
【請求項２】
前記固定部は、
前記ワイヤが接着固定されるワイヤ固定部を有し、前記ワイヤを介して前記可動部を可動的に支持するダンパベースを備え、
前記保持部は、
前記ワイヤ固定部と前記給電点との間において、前記ワイヤを前記曲げられた状態に保持することを特徴とする請求項１に記載のレンズアクチュエータ。
【請求項３】
前記保持部は、
前記ダンパベースから突出するように設けられ、前記ワイヤが挿入された状態で折り曲げられる曲げ補助部を備え、
前記折り曲げに伴って、前記ワイヤが曲げられていることを特徴とする請求項２に記載のレンズアクチュエータ。
【請求項４】
前記曲げ補助部は、
前記ダンパベースとの一体成型によって形成されていることを特徴とする請求項３に記載のレンズアクチュエータ。
【請求項５】
前記曲げ補助部は、
挿入された前記ワイヤを位置決めする溝が設けられており、
前記折り曲げの方向の反対側において、挿入されている前記ワイヤを覆うように形成されていることを特徴とする請求項３または請求項４に記載のレンズアクチュエータ。
【請求項６】
前記保持部は、
前記ダンパベースに設けられ、前記曲げ補助部の前記折り曲げられた部分が嵌め込まれる嵌込部を備え、
前記折り曲げおよび前記嵌め込みがなされることにより、前記ワイヤを前記曲げられた状態に保持することを特徴とする請求項３から請求項５の何れかに記載のレンズアクチュエータ。
【請求項７】
前記ダンパベースは、
ゲルを介して前記ワイヤを支持するゲルボックス部を備え、
前記ワイヤ固定部は、
前記ゲルボックス部よりも前記可動部から離れた位置において、前記ダンパベースから突出するように設けられたことを特徴とする請求項２から請求項６の何れかに記載のレンズアクチュエータ。
【請求項８】
請求項１から請求項７の何れかに記載のレンズアクチュエータと、
前記可動部の位置を調節する制御部と、
を備えたことを特徴とする光ピックアップ装置。
【請求項９】
請求項８に記載の光ピックアップ装置を備え、
光ディスクからのデータ読取または光ディスクへのデータ記録を行うことを特徴とする光ディスク装置。
【発明の詳細な説明】
【技術分野】
【０００１】
本発明はレンズアクチュエータ、ならびにこれを用いた光ピックアップ装置および光ディスク装置に関する。
【背景技術】
【０００２】
従来、光ピックアップ装置の部品等として、対物レンズを各方向へ駆動させるレンズアクチュエータが利用されている。従来のレンズアクチュエータの構成例について、図９を参照しながら、以下に簡潔に説明する。
【０００３】
当該レンズアクチュエータ１３０は、マグネットが設けられた固定部３００と、コイルや対物レンズが設けられた可動部４００を有しており、ローレンツ力を利用して可動部４００を駆動させることが可能となっている。また可動部４００の両脇には、サスペンスワイヤＷＲが接続固定されている。
【０００４】
サスペンスワイヤＷＲは金属材質によって形成されており、可動部４００の支持に利用される。またサスペンスワイヤＷＲは、外部の給電点（例えば、光ピックアップ装置内の電源回路に繋がるポイント）から供給される電力を、可動部４００に伝送する役割を果たす。
【０００５】
固定部３００は、ダンパベース３１０、中継基板３２０、およびＦＰＣ（フレキシブルプリント基板）３３０を有している。ダンパベース３１０は、ゲルボックスを備えており、サスペンスワイヤＷＲを介して可動部４００を可動的に支持する部品である。また中継基板３２０およびＦＰＣ３３０は、主に、サスペンスワイヤＷＲを外部の給電点に接続させる役割を果たす。
【０００６】
より具体的に説明すると、中継基板３２０は、ゲルボックスの後方であって、サスペンスワイヤＷＲの先端が当たる位置に設けられている。サスペンスワイヤＷＲは、可動部４００側からゲルボックスを介して後方へ真直ぐに伸びており、中継基板３２０が有する配線パターンに接続されている。またＦＰＣ３３０は、中継基板３２０が有する配線パターンを、外部の給電点に接続させるために用いられる。
【先行技術文献】
【特許文献】
【０００７】
【特許文献１】特開平１０−１６２３８７号公報
【発明の概要】
【発明が解決しようとする課題】
【０００８】
上述したレンズアクチュエータによれば、中継基板やＦＰＣを利用することにより、外部の給電点の位置に関わらず、サスペンスワイヤを用いた可動部への給電が可能である。すなわち、給電点がサスペンスワイヤから離れていても、中継基板やＦＰＣを中継してこれらが繋げられる。これにより、給電点はサスペンスワイヤを介して可動部に接続され、可動部への給電が可能となる。
【０００９】
しかしこのようなレンズアクチュエータを構成するためには、中継基板やＦＰＣが必要となる。レンズアクチュエータの製造コスト削減等の観点からは、中継基板やＦＰＣの使用を省略することにより、部品点数の削減や組立工程の簡略化を実現させることが望ましい。
【００１０】
また中継基板やＦＰＣを用いる場合には、組立中における不慮の接触による中継基板の塑性変形や、基材と液体レジストのバイメタル構造による温度変化での変形等が問題となり、製品に対する信頼性の確保が容易ではない。また可動部、ダンパベース、およびサスペンスワイヤの各部品を同一工程で組立てる必要があり、組立効率の悪化が問題である。
【００１１】
本発明は上記の問題点に鑑み、ワイヤを用いた可動部への給電を行うものでありながら、製造コストの削減等が容易となるレンズアクチュエータの提供を目的とする。
【課題を解決するための手段】
【００１２】
本発明に係るレンズアクチュエータは、対物レンズを有する可動部と、前記可動部を可動的に支持する固定部と、外部の給電点から供給される電力を、前記可動部に伝送するワイヤと、を備え、前記固定部は、前記ワイヤを前記可動部と前記給電点とを結ぶように曲げられた状態に保持する保持部を、備えている構成とする。
【００１３】
本構成によれば、ワイヤを用いた可動部への給電を行うものでありながら、中継基板やＦＰＣの使用を省略すること等により、製造コストの削減等が容易となる。
【００１４】
また上記構成としてより具体的には、前記固定部は、前記ワイヤが接着固定されるワイヤ固定部を有し、前記ワイヤを介して前記可動部を可動的に支持するダンパベースを備え、前記保持部は、前記ワイヤ固定部と前記給電点との間において、前記ワイヤを前記曲げられた状態に保持する構成としてもよい。
【００１５】
また上記構成としてより具体的には、前記保持部は、前記ダンパベースから突出するように設けられ、前記ワイヤが挿入された状態で折り曲げられる曲げ補助部を備え、前記折り曲げに伴って、前記ワイヤが曲げられている構成としてもよい。
【００１６】
また上記構成としてより具体的には、前記曲げ補助部は、前記ダンパベースとの一体成型によって形成されている構成としてもよい。
【００１７】
また上記構成としてより具体的には、前記曲げ補助部は、挿入された前記ワイヤを位置決めする溝が設けられており、前記折り曲げの方向の反対側において、挿入されている前記ワイヤを覆うように形成されている構成としてもよい。
【００１８】
また上記構成としてより具体的には、前記保持部は、前記ダンパベースに設けられ、前記曲げ補助部の前記折り曲げられた部分が嵌め込まれる嵌込部を備え、前記折り曲げおよび前記嵌め込みがなされることにより、前記ワイヤを前記曲げられた状態に保持する構成としてもよい。
【００１９】
また上記構成としてより具体的には、前記ダンパベースは、ゲルを介して前記ワイヤを支持するゲルボックス部を備え、前記ワイヤ固定部は、前記ゲルボックス部よりも前記可動部から離れた位置において、前記ダンパベースから突出するように設けられた構成としてもよい。
【００２０】
また本発明に係る光ピックアップ装置は、上記構成のレンズアクチュエータと、前記可動部の位置を調節する制御部と、を備えた構成とする。また本発明に係る光ディスク装置は、上記構成の光ピックアップ装置を備え、光ディスクからのデータ読取または光ディスクへのデータ記録を行う構成とする。
【発明の効果】
【００２１】
本発明に係るレンズアクチュエータによれば、ワイヤを用いた可動部への給電を行うものでありながら、製造コストの削減等が容易となる。また本発明に係る光ピックアップ装置および光ディスク装置によれば、本発明に係るレンズアクチュエータの利点を享受することができる。
【図面の簡単な説明】
【００２２】
【図１】本実施形態に係る光ディスク再生装置の構成図である。
【図２】本実施形態に係るレンズアクチュエータの構成図である。
【図３】本実施形態の可動部に相当する構成部品の構成図である。
【図４】本実施形態のダンパベースに相当する構成部品の構成図である。
【図５】本実施形態のアクチュエータベースに相当する構成部品の構成図である。
【図６】当該レンズアクチュエータの組立工程に関する説明図である。
【図７】当該レンズアクチュエータの組立工程に関する説明図である。
【図８】当該レンズアクチュエータの組立工程に関する説明図である。
【図９】従来例のレンズアクチュエータの構成図である。
【発明を実施するための形態】
【００２３】
本発明の実施形態について、レンズアクチュエータを備えた光ディスク再生装置を例に挙げて、以下に説明する。
【００２４】
［光ディスク再生装置の構成等］
本発明の実施形態に係る光ディスク再生装置９について、図面を参照しながら以下に説明する。図１は、光ディスク再生装置９の構成図である。本図に示すように光ディスク再生装置９は、光ピックアップ装置１および再生信号処理回路２を備えている。
【００２５】
光ピックアップ装置１は、レーザダイオード１１、ビームスプリッタ１２、レンズアクチュエータ１３、フォトダイオード１４、検出部１５、および制御部１６を備えている。
【００２６】
レーザダイオード１１は、レーザ光を出力するように形成されている。ビームスプリッタ１２は、レーザダイオード１１から出力されたレーザ光を、予めセットされている光ディスクＤＣへ導くように配置されている。なおビームスプリッタ１２と光ディスクＤＣの間には、レンズアクチュエータ１３が設けられている。
【００２７】
レンズアクチュエータ１３は、光ディスクＤＣの情報記録面にレーザ光を集光させる対物レンズ（後述するＢＤレンズ４１およびＤＶＤレンズ４２）を有しており、当該対物レンズを駆動させることが可能となっている。ビームスプリッタ１２から出たレーザ光は、当該対物レンズを介して光ディスクＤＣに当たり、反射することになる。これにより光ディスクＤＣには、レーザ光による光スポットが形成される。なおレンズアクチュエータ１３の構成等については、改めて詳細に説明する。
【００２８】
フォトダイオード１４は、光ディスクＤＣに当たって反射したレーザ光（反射光）が入射し、当該反射光の強さに応じた電気信号Ｓｅを生成する。電気信号Ｓｅは、反射光の強さを反映しており、光ディスクＤＣに記録されている情報を含んでいる。電気信号Ｓｅは、検出部１５および再生信号処理回路２へ送出される。
【００２９】
検出部１５は、フォーカスエラー検出部１５ａ、トラッキングエラー検出部１５ｂ、およびチルトエラー検出部１５ｃを有している。
【００３０】
フォーカスエラー検出部１５ａは、電気信号Ｓｅに基づいてフォーカスエラー（光スポットのフォーカス方向のずれ）を検出し、この検出結果に応じたフォーカスエラー信号を出力する。トラッキングエラー検出部１５ｂは、電気信号Ｓｅに基づいてトラッキングエラー（光スポットのトラッキング方向のずれ）を検出し、この検出結果に応じたトラッキングエラー信号を出力する。チルトエラー検出部１５ｃは、電気信号Ｓｅに基づいてチルトエラー（光スポットのチルト方向のずれ）を検出し、この検出結果に応じたチルトエラー信号を出力する。
【００３１】
また制御部１６は、フォーカス制御部１６ａ、トラッキング制御部１６ｂ、およびチルト制御部１６ｃを有している。
【００３２】
フォーカス制御部１６ａは、フォーカスエラー信号に基づいてフォーカス制御を実行する。フォーカス制御は、レーザ光が光ディスクＤＣの情報記録面に集光するように、対物レンズの位置を調節する制御である。
【００３３】
トラッキング制御部１６ｂは、トラッキングエラー信号に基づいてトラッキング制御を実行する。トラッキング制御は、光スポットが光ディスクＤＣの情報トラックに追従するように、対物レンズの位置を調節する制御である。
【００３４】
チルト制御部１６ｃは、チルトエラー信号に基づいてチルト制御を実行する。チルト制御は、レーザ光が光ディスクＤＣの情報記録面に直角に照射されるように、対物レンズの角度を調節する制御である。フォーカス制御、トラッキング制御、およびチルト制御は、レンズアクチュエータ１３が有するコイルに電流を流すことによって実現される。
【００３５】
再生信号処理回路２は、電気信号Ｓｅに対して各種の処理（復調処理など）を施し、電気信号Ｓｅに基づいた映像信号等を生成する。生成された信号はディスプレイ等へ出力され、映像表示等に用いられる。このように光ディスク再生装置９は、光ピックアップ装置１を用いて、光ディスクＤＣからのデータ読取を行うようになっている。
【００３６】
なお光ピックアップ装置１は、光ディスク再生装置の他、例えば光ディスク記録装置に設けられるようにしても良い。この場合、当該光ディスク記録装置は、光ピックアップ装置１を用いて、光ディスクＤＣへのデータ記録を行うように構成される。
【００３７】
［レンズアクチュエータの構成］
次に、レンズアクチュエータ１３の構成等についてより詳細に説明する。図２は、斜め上方視点によるレンズアクチュエータ１３の構成図（斜視図）である。
【００３８】
なお以降の説明では方向を表す場合、図２に示すように、上下左右或いは前後の各方向を用いることがある。左右の方向は光ディスクＤＣのラジアル方向に相当し、上下の方向はタンジェンシャル方向に相当する。なお以降に示す各図（図３〜図８）についても、図２と同様の方向から見た図である。レンズアクチュエータ１３は、光ディスクＤＣの情報記録面と対向する位置に配置されるように、後側の部分が光ピックアップ装置１の本体に固定される。
【００３９】
図２に示すように、レンズアクチュエータ１３は、固定部３０および可動部（可動子）４０を備えている。なお可動部４０の左右両側には、それぞれ３本のサスペンスワイヤ（Ｗ１〜Ｗ３）が接続されている。より具体的には、可動部４０の左右両側において前後方向に伸びる第１サスペンスワイヤＷ１、第２サスペンスワイヤＷ２、および第３サスペンスワイヤＷ３が、上から下に順に並ぶように設けられている。
【００４０】
サスペンスワイヤ（Ｗ１〜Ｗ３）は、金属材質により形成されており、可動部４０の支持に利用される。またサスペンスワイヤ（Ｗ１〜Ｗ３）は、可動部４０から固定部３０を介して外部へ伸びるように配置され、外部の所定位置ある給電点ＳＰから供給される電力を、可動部４０に伝送する役割を果たす。
【００４１】
なお給電点ＳＰは、例えば、光ピックアップ装置１に設けられた電源回路に繋がるポイント（回路基板上のランド等）であり、レンズアクチュエータ１３との相対的な位置関係が予め決まっている。サスペンスワイヤ（Ｗ１〜Ｗ３）は、可動部４０と給電点ＳＰとを結ぶように曲げられた上、この曲げられた状態に保持されている。
【００４２】
これにより、給電点ＳＰが可動部４０から離れた位置にあるにも関わらず、サスペンスワイヤ（Ｗ１〜Ｗ３）のみを介して（中継基板やＦＰＣ等を用いずに）、可動部４０と給電点ＳＰの接続が可能となっている。なお、サスペンスワイヤ（Ｗ１〜Ｗ３）がどのようにして曲げられ、また曲げられた状態に保持されているかについては、後述の説明により明らかとなる。
【００４３】
なお固定部３０は、ダンパベース３１（ＧＥＬＢＯＸ）がアクチュエータベース３２に固定された形態となっている。ダンパベース３１は、サスペンスワイヤ（Ｗ１〜Ｗ３）を介して可動部４０を可動的に支持する役割を果たす。
【００４４】
可動部４０は、対物レンズとして、ＢＤレンズ４１およびＤＶＤレンズ４２を有している。ＢＤレンズ４１は、ブルーレイ（Blu-ray）規格の光ディスクＤＣが使われる際に用いられる対物レンズであり、ＤＶＤレンズ４２は、所定のＤＶＤ規格の光ディスクＤＣが使われる際に用いられる対物レンズである。何れの対物レンズも、レンズホルダによって光軸が上下方向に一致するように固定されており、光ディスクＤＣへのレーザ光の集光（光スポットの形成）に用いられる。
【００４５】
可動部４０の前後方向の両端には、それぞれ、トラッキングコイルおよびフォーカスコイル（何れも不図示）が設けられている。また固定部３０におけるトラッキングコイルおよびフォーカスコイルと対向する部分には、それぞれ、トラッキングマグネットおよびフォーカスマグネット（何れも不図示）が設けられている。
【００４６】
これらのコイルおよびマグネットは、当該コイルに電流を流すことによってローレンツ力を発生させる。レンズアクチュエータ１３はこのローレンツ力を利用して、可動部４０を各方向（トラッキング方向、フォーカス方向、チルト方向）に駆動させるようになっている。なお対物レンズの位置は、当該コイルに流れる電流の量（制御部１６によって制御される）によって決まることになる。
【００４７】
［レンズアクチュエータの構成部品］
レンズアクチュエータ１３は、可動部４０に相当する構成部品、ダンパベース３１に相当する構成部品、およびアクチュエータベース３２に相当する構成部品等により構成されている。これらの構成部品について、以下に説明する。
【００４８】
図３は、可動部４０に相当する構成部品の構成図（斜視図）である。本図に示すように当該構成部品は、ＢＤレンズ４１およびＤＶＤレンズ４２の他、ワイヤ接続部（Ｃ１〜Ｃ３）を有している。
【００４９】
第１ワイヤ接続部Ｃ１は、第１サスペンスワイヤＷ１の先端近傍を、可動部４０に接続固定させる役割を果たす。また第２ワイヤ接続部Ｃ２は、第２サスペンスワイヤＷ２の先端近傍を、可動部４０に接続固定させる役割を果たす。また第３ワイヤ接続部Ｃ３は、サスペンスワイヤＷ３の先端近傍を、可動部４０に接続固定させる役割を果たす。
【００５０】
図４は、ダンパベース３１に相当する構成部品の構成図（斜視図）である。本図に示すように当該構成部品は、曲げ補助部３１ａ、第１嵌込部３１ｂ、第２嵌込部３１ｃ、ゲルボックス部３１ｄ、およびワイヤ固定部３１ｅを有している。ダンパベース３１は、曲げ補助部３１ａ、ゲルボックス部３１ｄ、およびワイヤ固定部３１ｅを含め、全体が樹脂による一体成型によって形成されている。
【００５１】
曲げ補助部３１ａは、ダンパベース３１の左右両側の各々から後方へ突出するように設けられた、略薄板状（厚み方向は左右方向に一致する）の部分である。なお便宜上、図４（図２および後述する図６〜図８も同様）では左側の曲げ補助部３１ａを非表示としているが、実際には左側の曲げ補助部３１ａとして、右側の曲げ補助部３１ａと左右対称であるものが設けられている。
【００５２】
曲げ補助部３１ａは、その根本側から突出方向（後方）へ向かって、第１屈曲部ＦＰ１、第１板状部ＢＰ１、第２屈曲部ＦＰ２、および第２板状部ＢＰ２が、それぞれこの順に連結した形態となっている。
【００５３】
各屈曲部（ＦＰ１、ＦＰ２）は、板状部（ＢＰ１、ＢＰ２）に比べて十分に薄くなっている。曲げ補助部３１ａは、サスペンスワイヤ（Ｗ１〜Ｗ３）が挿入された状態でも、各屈曲部（ＦＰ１、ＦＰ２）において容易に折り曲げ可能である。なお第１屈曲部ＦＰ１は、図４に示す直線Ｘ１（上下方向）を軸とした折り曲げが容易となるように形成されており、第２屈曲部ＦＰ２は、図４に示す直線Ｘ２（上下方向から前後方向へ約４５度傾いた方向）を軸とした折り曲げが容易となるように形成されている。
【００５４】
また曲げ補助部３１ａには、その突出方向へ真直ぐに伸びる３本のワイヤ溝（Ｄ１〜Ｄ３）が設けられている。ワイヤ溝（Ｄ１〜Ｄ３）は、曲げ補助部３１ａの前後方向の両端にまで及んでおり、サスペンスワイヤ（Ｗ１〜Ｗ３）が挿入可能となる形状に形成されている。ワイヤ溝（Ｄ１〜Ｄ３）は、挿入されたサスペンスワイヤ（Ｗ１〜Ｗ３）を位置決めする役割を果たす。
【００５５】
また左側の曲げ補助部３１ａにおいては、ワイヤ溝（Ｄ１〜Ｄ３）は右側に形成されており、右側の曲げ補助部３１ａにおいては、ワイヤ溝（Ｄ１〜Ｄ３）は左側に形成されている。換言すれば、左側の曲げ補助部３１ａは、挿入されたサスペンスワイヤ（Ｗ１〜Ｗ３）を左側から覆うように形成されており、右側の曲げ補助部３１ａは、挿入されたサスペンスワイヤ（Ｗ１〜Ｗ３）を右側から覆うように形成されている。
【００５６】
第１嵌込部３１ｂは、曲げ補助部３１ａが第１屈曲部ＦＰ１において折り曲げられたときに、第１板状部ＢＰ１を嵌め込むことが可能な部分である。なお当該嵌め込みのより具体的な形態は、後述の説明により明らかとなる。第１嵌込部３１ｂは、このような嵌め込みがなされた後、ある程度の摩擦力によってその状態を保持することが出来るように、予め適切な寸法設定がなされている。
【００５７】
第２嵌込部３１ｃは、曲げ補助部３１ａが第１屈曲部ＦＰ１および第２屈曲部ＦＰ２において折り曲げられたときに、第２板状部ＢＰ１を嵌め込むことが可能な部分である。なお当該嵌め込みのより具体的な形態は、後述の説明により明らかとなる。第２嵌込部３１ｃは、このような嵌め込みがなされた後、ある程度の摩擦力によってその状態を保持することが出来るように、予め適切な寸法設定がなされている。
【００５８】
ゲルボックス部３１ｄは、内部にゲルが注入されており、ゲルを介してサスペンスワイヤ（Ｗ１〜Ｗ３）を支持する部分である。またワイヤ固定部３１ｅは、サスペンスワイヤ（Ｗ１〜Ｗ３）が接着固定される部分である。ワイヤ固定部３１ｅは、サスペンスワイヤ（Ｗ１〜Ｗ３）の固定端の役割を担うことになるため、サスペンスワイヤ（Ｗ１〜Ｗ３）の特性（振動の度合等）に悪影響を与えないように、薄板状に形成されている。
【００５９】
なおワイヤ固定部３１ｅは、ゲルボックス部３１ｄより後方（ゲルボックス部３１ｄよりも可動部４０から離れた位置）において、ダンパベース３１の側部から突出するように設けられている。そのためサスペンスワイヤ（Ｗ１〜Ｗ３）は、ゲルボックス部３１ｄよりも可動部４０から離れた位置において、ワイヤ固定部３１ｅに接着固定されることになる。
【００６０】
なおワイヤ溝Ｄ１には、ゲルボックス部３１ｄとワイヤ固定部３１ｅを通っている真直ぐな状態のサスペンスワイヤＷ１を、真直ぐな状態のまま挿入することが可能である。またワイヤ溝Ｄ２には、ゲルボックス部３１ｄとワイヤ固定部３１ｅを通っている真直ぐな状態のサスペンスワイヤＷ２を、真直ぐな状態のまま挿入することが可能である。またワイヤ溝Ｄ３には、ゲルボックス部３１ｄとワイヤ固定部３１ｅを通っている真直ぐな状態のサスペンスワイヤＷ３を、真直ぐな状態のまま挿入することが可能である。
【００６１】
図５は、アクチュエータベース３２に相当する構成部品の構成図（斜視図）である。本図に示すように当該構成部品は、ダンパベース３１が配置されるスペースＳ１と、可動部４０が配置されるスペースＳ２を有するように形成されている。
【００６２】
［レンズアクチュエータの組立］
次に、レンズアクチュエータ１３の組立の手順について説明する。なお以下に説明する組立の手順は一例であり、矛盾のない限り、他の形態とすることも可能である。またコイルやマグネットを取付ける工程など、一部の工程については説明を省略する。
【００６３】
先ず、真直ぐな状態の各サスペンスワイヤ（Ｗ１〜Ｗ３）が、ダンパベース３１のゲルボックス部３１ｄ、ワイヤ固定部３２ｅ、および各ワイヤ溝（Ｄ１〜Ｄ３）に通されることにより、位置決めされる。なおこの際、各サスペンスワイヤ（Ｗ１〜Ｗ３）の一端側は、必要な分だけ（可動部４０への接続が可能となる程度に）、ゲルボックス部３１ｄから突き出た状態とされる。また各サスペンスワイヤ（Ｗ１〜Ｗ３）の他端側も、必要な分だけ、各ワイヤ溝（Ｄ１〜Ｄ３）から突き出た状態とされる。
【００６４】
そしてこのように位置決めされた状態で、各サスペンスワイヤ（Ｗ１〜Ｗ３）は、ワイヤ固定部３２ｅに接着固定される。なおこの接着固定には、例えばＵＶ硬化性樹脂の接着剤が用いられる。サスペンスワイヤ（Ｗ１〜Ｗ３）を予めダンパベース３１に取付けることで、これらはアッセンブリ化され、他の構成部品（アクチュエータベース３２や可動部４０）との組立に要する時間の短縮が容易となる。また更に、サスペンスワイヤ（Ｗ１〜Ｗ３）が接着固定されたダンパベース３１は、アクチュエータベース３２に取付けられて固定される。
【００６５】
ここまでの工程が行われることにより、図６に示すように固定部３０の基礎が得られる。図６に示す着色矢印は、サスペンスワイヤ（Ｗ１〜Ｗ３）が接着固定されている箇所を表している。なおアクチュエータベース３２へのダンパベース３１の取付けは、より後の工程で行われるようにしても良い。
【００６６】
次にサスペンスワイヤ（Ｗ１〜Ｗ３）が挿入された状態の曲げ補助部３１ａは、各屈曲部（ＦＰ１、ＦＰ２）において折り曲げられる。曲げ補助部３１ａの当該折り曲げに伴って、サスペンスワイヤ（Ｗ１〜Ｗ３）も一緒に曲げられることになる。
【００６７】
より具体的には、先ず、曲げ補助部３１ａは第２屈曲部ＦＰ２において折り曲げられ、サスペンスワイヤ（Ｗ１〜Ｗ３）の先端が下方を向くようにされる。そしてこの状態のまま、曲げ補助部３１ａは更に第１屈曲部ＦＰ１において折り曲げられ、第１板状部ＢＰ１が第１嵌込部３１ｂに嵌め込まれ、第２板状部ＢＰ２が第２嵌込部３１ｃに嵌め込まれる。
【００６８】
なお曲げ補助部３１ａは、このような折り曲げの方向の反対側において、挿入されているサスペンスワイヤ（Ｗ１〜Ｗ３）を覆う形状となっている。例えば、右側の曲げ補助部３１ａは概ね左方向に折り曲げられるところ、その反対側である右側において、挿入されているサスペンスワイヤ（Ｗ１〜Ｗ３）を覆っている。そのため、例えば治具を使って曲げ補助部３１ａを右側から押すようにして折り曲げる場合であっても、曲げ補助部３１ａ自体が壁の役割を果たし、サスペンスワイヤ（Ｗ１〜Ｗ３）は治具の接触等から保護される。
【００６９】
ここまでの工程が行われることにより、図７に示すように固定部３０が得られる。なお本実施形態では、曲げ補助部３１ａの嵌め込みによって、曲げ補助部３１ａとサスペンスワイヤ（Ｗ１〜Ｗ３）は折り曲げられた状態に保持される。但しこのような保持を実現する手段は特に限られず、例えば、接着剤等を用いた接着、或いはビス止め等といった手段が採用されても構わない。
【００７０】
次に可動部４０が、固定部３０に取付けられる。より具体的には、固定部３０におけるダンパベース３１の前側に、可動部４０が配置される。そしてこの状態において、第１サスペンスワイヤＷ１の先端近傍が、可動部４０の第１ワイヤ接続部Ｃ１に接続固定される。また、第２サスペンスワイヤＷ２の先端近傍が、第２ワイヤ接続部Ｃ２に接続固定され、第３サスペンスワイヤＷ３の先端近傍が、第３ワイヤ接続部Ｃ３に接続固定される。ここまでの工程が行われた後、更に必要な工程を経て、図２に示すレンズアクチュエータ１３の完成品が得られる。
【００７１】
ここで本実施形態の組立工程においては、以上の説明から明らかである通り、従来例（図９を参照）では必要であった中継基板やＦＰＣは用いられていない。そのため本実施形態のレンズアクチュエータ１３は、従来例に比べて、部品点数の削減や組立工程の簡略化が実現され、製造コスト削減等の観点から有利である。また中継基板やＦＰＣの使用が省略されることにより、レンズアクチュエータ１３は従来例に比べ、信頼性の確保や組立効率の向上を図ることが容易である。
【００７２】
［その他］
以上に説明した通り、本実施形態に係るレンズアクチュエータ１３は、対物レンズを有する可動部４０と、可動部４０を可動的に支持する固定部３０と、外部の所定位置にある給電点ＳＰから供給される電力を可動部４０に伝送するサスペンスワイヤ（Ｗ１〜Ｗ３）と、を備えている。またサスペンスワイヤ（Ｗ１〜Ｗ３）は、可動部４０と給電点ＳＰとを結ぶように曲げられており、固定部３０は、サスペンスワイヤ（Ｗ１〜Ｗ３）を当該曲げられた状態に保持する機能部（保持部）を備えている。
【００７３】
そのためレンズアクチュエータ１３によれば、従来の中継基板やＦＰＣの役割をサスペンスワイヤ（Ｗ１〜Ｗ３）に担わせ、中継基板やＦＰＣの使用を省略することが容易である。これによりレンズアクチュエータ１３は、従来例に比べて、サスペンスワイヤ（Ｗ１〜Ｗ３）を用いた可動部４０への給電を行うものでありながら、製造コストの削減、信頼性の確保、および組立効率の向上等を図ることが容易である。
【００７４】
また保持部は、ワイヤ固定部３１ｅと給電点ＳＰとの間において、サスペンスワイヤ（Ｗ１〜Ｗ３）を当該曲げられた状態に保持する。そのためサスペンスワイヤ（Ｗ１〜Ｗ３）を曲げることによって、サスペンスワイヤ（Ｗ１〜Ｗ３）を用いた可動部４０の支持に悪影響が及ぶことは回避される。
【００７５】
なお保持部の形態について、本実施形態のようにダンパベース３１と一体成型された曲げ補助部３１ａが設けられていれば、基本的には曲げ補助部３１ａを折り曲げてそのまま嵌め込むだけで、サスペンスワイヤを曲げられた状態に保持することが可能である。そのため当該保持に要する作業を、非常に効率良く行うことが可能である。
【００７６】
但し保持部の形態は、このようなものには限られない。例えば、ダンパベース３１と一体成型された曲げ補助部３１ａが設けられる代わりに、ダンパベース３１から分離された形態の部品（嵌め込み等により、サスペンスワイヤを曲げられた状態に保持する部品）が用いられるようにしても良い。この場合には、本実施形態に比べて部品点数の増加や作業効率の低下が問題となり易いが、ダンパベース３１と曲げ補助部３１ａを一体成型する必要が無いため、その分、ダンパベース３１の成型は容易となる。
【００７７】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。また本発明は、レンズアクチュエータを有する各種装置等に利用することができる。
【符号の説明】
【００７８】
１      光ピックアップ装置
１１    レーザダイオード
１２    ビームスプリッタ
１３    レンズアクチュエータ
１４    フォトダイオード
１５    検出部
１５ａ  フォーカスエラー検出部
１５ｂ  トラッキングエラー検出部
１５ｃ  チルトエラー検出部
１６    制御部
１６ａ  フォーカス制御部
１６ｂ  トラッキング制御部
１６ｃ  チルト制御部
２      再生信号処理回路
９      光ディスク再生装置（光ディスク装置）
３０    固定部
３１    ダンパベース
３１ａ  曲げ補助部
３１ｂ  第１嵌込部
３１ｃ  第２嵌込部
３１ｄ  ゲルボックス部
３１ｅ  ワイヤ固定部
３２    アクチュエータベース
４０    可動部
４１    ＢＤレンズ
４２    ＤＶＤレンズ
ＢＰ１  第１板状部
ＢＰ２  第２板状部
ＦＰ１  第１屈曲部
ＦＰ２  第２屈曲部
Ｃ１〜Ｃ３    ワイヤ接続部
Ｄ１〜Ｄ３    ワイヤ溝
Ｗ１〜Ｗ３    サスペンスワイヤ（ワイヤ）
ＳＰ          給電点
【図１】
2014044777.tif 000003
【図２】
2014044777.tif 000004
【図３】
2014044777.tif 000005
【図４】
2014044777.tif 000006
【図５】
2014044777.tif 000007
【図６】
2014044777.tif 000008
【図７】
2014044777.tif 000009
【図８】
2014044777.tif 000010
【図９】
2014044777.tif 000011